(57)【要約】【課題】遊技台データの出力側では、アクセスしてきた端末に応じた複雑な処理を行わないでも、本当に閲覧権限を備えた端末に対し、その権限範囲内の遊技台データのみを閲覧させるようにする遊技台データ閲覧システムを提供することである。【解決手段】遊技台１に対応した複数の台コンピュータ４と、これらの台コンピュータにインターネットＩを介して接続した端末６とを備え、上記台コンピュータは、それぞれインターネットから直接接続可能な固有のアドレスを有するとともに対応する遊技台の遊技台データを収集して記憶する手段４ａ、４ｂと、上記遊技台データを暗号化する手段４ｃと、暗号化データを上記端末へ送信する手段４ｄとを備え、上記端末は、復号化キーを記憶する手段６ｂと、受信した暗号化データを上記復号化キーによって復号化する手段６ｃとを備えた。【選択図】　図２
2004049681.tif 000002
【特許請求の範囲】
【請求項１】
遊技台に対応した複数の台コンピュータと、これらの台コンピュータにインターネットを介して接続した端末とを備え、上記台コンピュータは、それぞれインターネットから直接接続可能な固有のアドレスを有するとともに対応する遊技台の遊技台データを収集して記憶する手段と、上記遊技台データを暗号化する手段と、暗号化データを上記端末へ送信する手段とを備え、上記端末は、復号化キーを記憶する手段と、受信した暗号化データを上記復号化キーによって復号化する手段とを備えた遊技台データ閲覧システム。
【請求項２】
台コンピュータは、複数の暗号化キーのそれぞれに対応させて遊技台データを暗号化し、その暗号化データを記憶する手段と、端末からの要求があたったとき、その端末に、複数の暗号化データを送信する手段とを備えた請求項１に記載の遊技台データ閲覧システム。
【請求項３】
台コンピュータは、対応する遊技台の遊技台特定情報を読み取る手段と、読み取った遊技台特定情報を利用して暗号化キーを作成する手段と、その暗号化キーで遊技台データを暗号化する手段とを備え、端末は、遊技台特定情報を利用して作成した復号化キーを記憶する手段を備えた請求項１または２に記載の遊技台データ閲覧システム。
【請求項４】
遊技台に対応した複数の台コンピュータと、これらの台コンピュータにインターネットを介して接続した端末と、管理コンピュータとを備え、台コンピュータは、それぞれインターネットから直接接続可能な固有のアドレスを有するとともに対応する遊技台の遊技台データを収集して記憶する手段と、遊技台データを上記インターネットを介して端末へ送信する手段とを備え、管理コンピュータは、上記台コンピュータのアドレスにそれぞれ属性を対応させて記憶する手段と、端末から指定された属性データに対応するアドレスを特定してそのアドレスを返信する手段とを備え、上記端末は、管理コンピュータに対して、属性データを指定する手段と、受信したアドレスによって台コンピュータにアクセスする手段とを備えた遊技台データ閲覧システム。
【請求項５】
管理コンピュータは、端末へ送信する台コンピュータのアドレスを暗号化する手段と、この暗号化アドレスを端末へ送信する手段とを備え、端末は、復号化キーを記憶する手段と、受信した暗号化アドレスを上記復号化キーによって復号化する手段とを備えた請求項４に記載の遊技台データ閲覧システム。
【請求項６】
管理コンピュータは、１つの台コンピュータのアドレスに対し、複数の暗号化キーのそれぞれに対応した暗号化アドレスを作成する手段と、作成した暗号化アドレスを端末へ送信する手段とを備えた請求項５に記載の遊技台データ閲覧システム。
【請求項７】
管理コンピュータおよび端末は、それぞれ復号化キーを変更する復号化キー変更手段を備え、これら各復号化キー変更手段は、互いに関連して機能する請求項５または６に記載の遊技台データ閲覧システム。
【請求項８】
管理コンピュータは台コンピュータのアドレスに対応させて、端末のアクセス権を判定する手段と、端末が特定のアドレスに対してのアクセス権を有すると判定したときに、そのアドレスを端末に返信するとともに、その端末がアクセス権を有することを認証したアクセス権認証データを出力する手段とを備え、上記台コンピュータは、上記アクセス権認証データを受信する手段と、端末からアクセスが有ったときに、上記アクセス権認証データに基づいて、その端末の遊技台データ閲覧権限を判定する手段と、閲覧権限を有すると判定した端末に対して自身が記憶している遊技台データを送信する手段とを備えた請求項４〜７のいずれか１に記載の遊技台データ閲覧システム。
【発明の詳細な説明】
【０００１】
【発明の属する技術分野】
この発明は、遊技場に設置された遊技台のデータを、外部から閲覧させるシステムに関する。
【０００２】
【従来の技術】
遊技場に設置された遊技台の遊技台データは、ホールコンピュータが集計して、遊技場情報として管理していた。ホールコンピュータでは、遊技台毎の、売上げ、アウト数、セーフ数、割数、特賞回数などを集計していた。なお、アウト数とは、その遊技台に投入された玉数のことで、セーフ数とは、遊技台から払い出された玉数のことである。割数は、（景品金額／売上げ金額）×１０で計算される値のことである。また、上記特賞回数の特賞とは、特定の条件を満たすことによって通常よりも多数の玉が払い出される状態のことである。例えば、特定の入賞口に玉が入賞して図柄が変動した後に、特定の図柄パターンとなったとき、多数の玉が払い出される状態のことである。
【０００３】
そして、これらホールコンピュータで集計した遊技台データを、遊技場外の端末で閲覧できるようにしている。
例えば、図９に示すように、個々の遊技台１には、その遊技台データを収集するための台コンピュータ４を接続し、これら複数の台コンピュータ４のデータを集計する遊技場のホールコンピュータ２をインターネットＩに接続したシステムがあった。このシステムにおいては、インターネットＩに接続した端末３が、ホールコンピュータ２にアクセスして、上記ホールコンピュータ２が管理している遊技台データを閲覧するようにしている。
【０００４】
このようなシステムにおいて、上記端末３は、遊技台データを閲覧することができる端末であるが、具体的には、遊技場の管理者の端末であったりする。
【０００５】
【発明が解決しようとする課題】
上記のシステムでは、ホールコンピュータ２にアクセスした端末３が、遊技場全体のデータを閲覧することは簡単であるが、その中から個々の遊技台に関する遊技台データを閲覧するのは、難しいという問題があった。
これに対して、上記端末３が、インターネットから直接、台コンピュータ４にアクセスして、必要な個々の遊技台データを閲覧できるようにすることが考えられる。そのためには、個々の遊技台にインターネットから直接アクセスするためのアドレスを割り振る必要である。
【０００６】
しかし、台コンピュータ４に割り振ったアドレスが、公開された場合、誰もがインターネットによって台コンピュータ４にアクセスし、遊技台データを閲覧できることになる。遊技台データには、経営上のノウハウが詰まっているので、誰にでも公開するわけにはいかないこともある。
この発明の目的は、個々の台コンピュータに直接アクセスできるようにしながら、本当に閲覧権限を備えた端末に対し、その権限範囲内の遊技台データのみを閲覧させるようにする遊技台データ閲覧システムを提供することである。
【０００７】
【課題を解決するための手段】
第１の発明は、遊技台に対応した複数の台コンピュータと、これらの台コンピュータにインターネットを介して接続した端末とを備え、上記台コンピュータは、それぞれインターネットから直接接続可能な固有のアドレスを有するとともに対応する遊技台の遊技台データを収集して記憶する手段と、上記遊技台データを暗号化する手段と、暗号化データを上記端末へ送信する手段とを備え、上記端末は、復号化キーを記憶する手段と、受信した暗号化データを上記復号化キーによって復号化する手段とを備えた点に特徴を有する。
【０００８】
なお、端末の復号化する手段では、復号化キーを記憶する手段で記憶されている復号化キーを利用すれば必ず、暗号化データを復号化できるというわけではない。上記復号化キーが、暗号化キーに対応したときにのみ、復号化ができるのである。上記復号化する手段が、「受信した暗号化でーを上記復号化キーによって復号化する」には、復号化を試みて、実際には復号化が成功しない場合も含むものとする。
【０００９】
第２の発明は、台コンピュータは、複数の暗号化キーのそれぞれに対応させて遊技台データを暗号化し、その暗号化データを記憶する手段と、端末からの要求があたったとき、その端末に、複数の暗号化データを送信する手段とを備えた点に特徴を有する。
なお、台コンピュータで、複数の暗号化キーを用いて暗号化するとは、同一の遊技台データを複数の暗号化データにすることである。そして、上記端末に記憶している復号化キーが、暗号化に用いた複数の暗号化キーのうち、いずれかに、対応していたときにのみ、端末が暗号化データの復号化ができる。
【００１０】
第３の発明は、台コンピュータは、対応する遊技台の遊技台特定情報を読み取る手段と、読み取った遊技台特定情報を利用して暗号化キーを作成する手段と、その暗号化キーで遊技台データを暗号化する手段とを備え、端末は、遊技台特定情報を利用して作成した復号化キーを記憶する手段を備えた点に特徴を有する。
【００１１】
第４の発明は、遊技台に対応した複数の台コンピュータと、これらの台コンピュータにインターネットを介して接続した端末と、管理コンピュータとを備え、台コンピュータは、それぞれインターネットから直接接続可能な固有のアドレスを有するとともに対応する遊技台の遊技台データを収集して記憶する手段と、遊技台データを上記インターネットを介して端末へ送信する手段とを備え、管理コンピュータは、上記台コンピュータのアドレスにそれぞれ属性を対応させて記憶する手段と、端末から指定された属性データに対応するアドレスを特定してそのアドレスを返信する手段とを備え、上記端末は、管理コンピュータに対して、属性データを指定する手段と、受信したアドレスによって台コンピュータにアクセスする手段とを備えた点に特徴を有する。
【００１２】
第５の発明は、管理コンピュータは、端末へ送信する台コンピュータのアドレスを暗号化する手段と、この暗号化アドレスを端末へ送信する手段とを備え、端末は、復号化キーを記憶する手段と、受信した暗号化アドレスを上記復号化キーによって復号化する手段とを備えた点に特徴を有する。
【００１３】
第６の発明は、管理コンピュータは、１つの台コンピュータのアドレスに対し、複数の暗号化キーのそれぞれに対応した暗号化アドレスを作成する手段と、作成した暗号化アドレスを端末へ送信する手段とを備えた点に特徴を有する。
第７の発明は、管理コンピュータおよび端末は、それぞれ復号化キーを変更する復号化キー変更手段を備え、これら各復号化キー変更手段は、互いに関連して機能する点に特徴を有する。
【００１４】
第８の発明は、管理コンピュータは台コンピュータのアドレスに対応させて、端末のアクセス権を判定する手段と、端末が特定のアドレスに対してのアクセス権を有すると判定したときに、そのアドレスを端末に返信するとともに、その端末がアクセス権を有することを認証したアクセス権認証データを出力する手段とを備え、上記台コンピュータは、上記アクセス権認証データを受信する手段と、端末からアクセスが有ったときに、上記アクセス権認証データに基づいて、その端末の遊技台データ閲覧権限を判定する手段と、閲覧権限を有すると判定した端末に対して自身が記憶している遊技台データを送信する手段とを備えた点に特徴を有する。
【００１５】
【発明の実施の形態】
図１〜図３に示す第１実施例は、遊技台１に接続した台コンピュータ４を、ルーター５を介して、インターネットＩに接続し、インターネットＩには、複数の端末６を接続している。
各台コンピュータ４には、それぞれ、インターネットから直接接続が可能なアドレスが割り振られ、外部の端末６からインターネットを介して直接アクセスできるようにしている。なお、上記インターネットから直接接続が可能なアドレスとしては、例えばＩＰ（ｉｎｔｅｒｎｅｔ　ｐｒｏｔｏｃｏｌ）アドレスがある。
そして、端末６は、個々の台コンピュータ４に直接アクセスして、対応する遊技台１の遊技台データを閲覧できるようにしている。そして、各端末６側には、台コンピュータ４のアドレスは公開されていることを前提としてもよい。
【００１６】
なお、上記ルーター５は、遊技場毎に設けられ、遊技場内に設置されている全ての台コンピュータ４の通信を中継する機能を備えているが、上記端末６は個々の台コンピュータ４のアドレスにアクセスするのであって、ルーターにアクセスするわけではないので、以下の説明では、ルーター５を省略して、台コンピュータ４と端末６間の通信について説明する。
また、インターネットＩに接続される台コンピュータ４は、複数の遊技場に設置されたものであり、これらの遊技場は、特に、チェーン店など系列店である必要はない。
【００１７】
図２に示すように、上記台コンピュータ４は、遊技台１の遊技台データを収集するデータ収集手段４ａと、データを記憶する記憶手段４ｂと、上記遊技台データを暗号化する暗号化手段４ｃと、データの入出力手段４ｄとを備えている。
なお、上記遊技台データには、その遊技台の売上げや、アウト数、セーフ数など、上記従来例で説明したデータやその他、遊技台の製造番号や機種等の遊技台に関連するあらゆるデータを含むことができる。ただし、この発明の遊技台データとは、売上げやアウト数などの個々の数値ではなくそれらをひとまとめにしたデータのことである。
【００１８】
また、上記記憶手段４ｂは、データ収集手段４ａが収集した遊技台データそのものを記憶するが、このデータを暗号化手段４ｃで暗号化した暗号化データも記憶する。また、暗号化手段４ｃは、後で説明する端末６が記憶している復号化キーに応じて、遊技台データを暗号化する。
一方、端末６は、データの入出力手段６ａと、暗号化データを復号化するための復号化キーを記憶するキー記憶手段６ｂと、上記復号化キーを用いて暗号を復号化する復号化手段６ｃとを備えている。
なお、複数の台コンピュータ４はどれも同じ構成なので、ここでは１つだけしか図示していない。また、端末６も全て同じ構成なので、他の端末は省略している。
【００１９】
次に、遊技台データの閲覧者の種類が複数あって、それぞれに、与えられている閲覧権限の範囲が異なる場合について説明する。
図３の表１のように、遊技台固有のＩＤ毎に、その台の遊技台データの閲覧可能者があらかじめ決められている。ここでは、端末６に対応する閲覧者としてホールＡ、台メーカーＸ、台メーカーＹがいるものとする。それぞれの閲覧者には、あらかじめ閲覧できるデータが決められており、それらは異なっていてもよいし、同じでもよい。図３の表においては、各閲覧者の欄の下に、その閲覧者が閲覧可能な台データの欄に、閲覧可能である印としての○印を表している。
【００２０】
例えば、この表１に示す遊技台ＩＤ００１〜００５の遊技台がホールＡに設置された遊技台である場合、閲覧者Ａは、表に示すように、ＩＤ００１〜００５の遊技台データを閲覧することができるが、閲覧者Ｘは、自社製品であるＩＤ００１、００２，００４の遊技台データだけを見ることができる。さらに、閲覧者Ｙは、自社製品であるＩＤ００３，００５の遊技台データだけを閲覧できるということである。このように、閲覧者によって、閲覧できる遊技台データが決められている。
【００２１】
図３の表１のように設定されていた場合、各閲覧者Ａ、Ｘ、Ｙの端末６のキー記憶手段６ｂには、それぞれ復号化キーａ、ｘ、ｙが記憶されている。
一方、台コンピュータ４側では、自身が収集して記憶している遊技台データをどのように暗号化すべきなのかを記憶している。厳密には、どの復号化キーに対応する暗号化を行えばよいのかということを記憶している。
例えば、ＩＤ００１の遊技台１に対応した台コンピュータ４は、図３の表１のように閲覧者ＡとＸ以外には、遊技台データを閲覧させないということになる。すなわち、閲覧者ＡとＸが持っている復号化キーａとｘのそれぞれに対応した暗号化を行い、その２種類の暗号化データを記憶手段４ｂに記憶させる。
【００２２】
同様に、ＩＤ００２の遊技台１に対応した台コンピュータ４も、復号化キーａ、ｘのそれぞれに対応した暗号化を行って、その暗号化データを記憶手段４ｂに記憶させる。
また、ＩＤ００３の遊技台１に対応した台コンピュータ４は、復号化キーａと、ｙのそれぞれに対応した暗号化を行ってその暗号化データを記憶手段４ｂに記憶させる。つまり、この遊技台データは、復号化キーａとｙによって復号化でき、閲覧者ＡとＹが閲覧できるデータである。
【００２３】
以上のようにして、各台コンピュータ４は、自身が収集した遊技台データを、閲覧させる閲覧者に与えた復号化キーに対応する数だけ暗号化する。
なお、この第１実施例では、暗号化データを予め作成して、記憶手段４ｂに記憶させておくものとするが、暗号化のタイミングは、これに限らない。例えば、上記端末６から閲覧要求が有った時点で暗号化するようにしてもかまわない。
【００２４】
次に、特定の端末６から、遊技台データを閲覧する手順を、図２を用いて説明する。
まず、端末６は、入出力手段６ａが、インターネットを利用して、特定のアドレスの台コンピュータ４へアクセスし、矢印で示す閲覧要求▲１▼を送信する。閲覧欄要求▲１▼を受信した台コンピュータ４は、上記端末６に対して、記憶手段４ｂに記憶している暗号化データ▲２▼を全て出力する。
端末６の復号化手段６ｃでは、受信した暗号化データに対し、キー記憶手段６ｂに記憶している復号化キーによって復号化を試みる。
【００２５】
このとき、端末６が、受信した暗号化データに対応する遊技台データを閲覧する権限を持っていれば、キー記憶手段６ｂに記憶していた復号化キーによって、復号化ができる。
例えば、遊技台ＩＤ００１の台コンピュータ４の場合、図３に示すように、この台コンピュータ４から出力される暗号化データは、復号化キーａに応じた暗号化データと、復号化キーｘに応じた暗号化データである。このとき、端末６が閲覧者Ｘの端末であれば、復号化キーｘを記憶しているので、復号化手段６ｃは、上記暗号化データを復号化して閲覧することができる。しかし、端末６が閲覧者Ｙの端末の場合には、復号化キーｙを記憶しているので、上記暗号化データを復号化することができない。従ってこの端末６は、ＩＤ００１の遊技台データを閲覧することはできない。
【００２６】
端末６は、公開されているアドレスによって、次々と台コンピュータ４へアクセスし、受信した暗号化データをキー記憶手段６ｂが記憶している復号化キーによって復号化を試みることができる。
なお、端末６は、閲覧権限を与えられている台コンピュータ４のアドレスだけを記憶しておいて、そのアドレスだけにアクセスするようにすることもできるし、全ての台コンピュータ４のアドレスに対してアクセスするようにしてもかまわない。
【００２７】
どちらにしても、台コンピュータ４側では、閲覧要求を送信してきた端末６が、どの端末であるのかということを特定する必要が無いし、端末６の閲覧権限を判定する必要も無い。さらには、相手に応じたデータを抽出する必要も無い。さらに、端末が台コンピュータ４に直接アクセスできるので、従来のように、複数の遊技台データを集計するホールコンピュータが必要ない。
要するに、台コンピュータ４は、予め設定された復号化キーに応じた暗号化処理をして、端末６からのアクセスに対して、全ての暗号化データをまとめて送信するだけで良い。暗号化データをまとめて受信した端末６は、自身が記憶している復号化キーによって復号化ができなければ、正当な閲覧者でなかったということである。つまり、台コンピュータは、上記のような単純な処理によって、閲覧権限を持たないものによる不正な閲覧を防止することができる。
【００２８】
また、台コンピュータ４が、接続されている遊技台の遊技台特定情報である遊技台ＩＤを自動的に読み取って、それを暗号化キーとして遊技台データを暗号化するようにしてもよい。この場合、この遊技台のＩＤをそのまま使用してもよいし、ＩＤの一部のみを使用してもよいし、ＩＤ以外の情報（台番号や一定の定数等）を付加してよい。その場合には、端末６側では、閲覧権限を与えら
れている遊技台の遊技台ＩＤを復号化キーとしてキー記憶手段６ｂに記憶させておく必要がある。つまり、端末側では、閲覧できる遊技台データの数分の遊技台ＩＤを復号化キーとして記憶しなければならない。
だたし、台コンピュータ４は、遊技台ＩＤを暗号化キーとした暗号化データだけを作成すればよい。上記第１実施例のように、複数の復号化キーに応じた暗号化をする必要がないので、台コンピュータ４の負担がさらに少なくなる。
【００２９】
上記のように、遊技台ＩＤを台コンピュータ４が自動的に読み取って、それに基づいた暗号化キーを利用した場合には、次のようなメリットもある。
まず、台コンピュータ４に接続される遊技台１の設置場所が変更になった場合に、暗号化キーを簡単に変更できるというメリットがある。台コンピュータ４が遊技台データを暗号化するために利用する暗号化キーは、その遊技台データを閲覧できる端末が記憶している復号化キーに対応させなければならない。しかし、遊技台ＩＤに基づいた暗号化キーで暗号化できるようにすれば、台コンピュータ４は、その遊技台１の遊技台データを閲覧できる端末が何であるかというような情報が無くても接続された遊技台１に応じた暗号化キーを利用することができる。
【００３０】
例えば、遊技台メーカーＺが、ホールＡに２０台の遊技台を納入してその遊技台ＩＤを知っていたとする。そして、メーカーＺの端末６に、上記遊技台ＩＤに基づいて作成した復号化キーを記憶している。このとき、端末６は、ホールＡの全ての台コンピュータ４から受信した暗号化データの復号化を試みて、記憶していた復号化キー全てに対応する復号化ができれば、納入した遊技台全てが、ホールＡに設置されていることがわかる。反対に、記憶していた復号化キーのうち、復号化に利用しなかったキーがあれば、その復号化キーに対応する遊技台は、上記ホールＡに設置されていないことがわかる。
【００３１】
また、遊技台が、ホールＡ以外の遊技場に移動されていた場合でも、台コンピュータ４が、ホール名などの設置場所を表す情報を遊技台データに含むようにすれば、遊技台の設置場所を監視することができる。端末６は、ホールを限らず、全ての台コンピュータ４にアクセスして、暗号化データを復号化して、取得した遊技台データと遊技台ＩＤとを照らし合わせれば、各遊技台１がどこに設置されているのかということがわかるのである。しかも、台コンピュータ４は、自動的に遊技台ＩＤを読み取るようにしているので、台コンピュータ４の暗号化キーも、遊技台１の移動にリアルタイムに対応する。
【００３２】
図４〜図６に示す第２実施例は、アドレスを持った台コンピュータ４と、端末６を接続したインターネットＩに、さらに、管理コンピュータ７を接続したシステムである。
この管理コンピュータ７は、例えば、遊技台メーカーなどが共同で設立したセンターや、認証サービスを専門に行っている企業などに設置されるコンピュータであり、データの入出力手段７ａと、暗号化手段７ｂと、台コンピュータ４のアドレス記憶手段７ｃとを備えている。このアドレス記憶手段７ｃは、図６の表２に示すように、台コンピュータ４のアドレス毎に、遊技台ＩＤ、遊技台の機種名、メーカー名、その遊技台の設置場所であるホール名、台番号などを対応させたテーブルを記憶している。
【００３３】
上記台番号とは、設置されている遊技場内におけるその遊技台の番号のことである。この番号は、設置場所が変わると変更される番号であり、その台固有の遊技台ＩＤとは異なる。閲覧者にとっては、遊技台ＩＤよりもわかりやすい番号の場合が多い。
そして、上記遊技台ＩＤ、機種名、…、など、アドレスに対応づけた他のデータが、この発明のアドレスの属性データにあたる。
また、台コンピュータ４は、データ収集手段４ａと、記憶手段４ｂと、入出力手段４ｄとを備え、第１実施例の暗号化手段４ｃを備えていない。
端末６は、上記第１実施例と同じ構成である。そして、キー記憶手段６ｂは、その端末６の閲覧権限の範囲に応じた復号化キーを記憶している。
【００３４】
次に、図５を用いて、この第２実施例のシステムにおいて、端末６が、遊技台データを閲覧する手順を説明する。このシステムにおいては、台コンピュータ４のアドレスを公開しないことを前提とする。
端末６は、入出力手段６ａを介して、管理コンピュータ７へアドレスの属性データを指定して遊技台データの閲覧要求▲１▼を送信する。例えば、属性として「ホールＡの１番台のデータ」というように指定する。
管理コンピュータ７は、アクセスしてきた端末６を特定するとともに、入出力手段７ａを介し受信した上記属性データをアドレス記憶手段７ｃの表２（図６）と対比して、対応するアドレス「○○○○○」を特定する。
【００３５】
上記特定したアドレスを、上記端末６が記憶している復号化キーに応じて暗号化手段７ｂで暗号化し、暗号化アドレス▲２▼を上記端末６へ返送する。
端末６では、受信した暗号化アドレスを、復号化手段６ｃで復号化する。この際、キー記憶手段６ｂに記憶している復号化キーを利用する。これにより、求める遊技台データを収集している台コンピュータ４のアドレスを取得できる。従って、このアドレスにアクセスし、データ要求▲３▼をする。台コンピュータ４は、このデータ要求▲３▼に対し、遊技台データ▲４▼を送信する。このとき、遊技台データは、暗号化していないので、端末６では、受信したデータをそのまま閲覧することができる。
【００３６】
なお、この第２実施例では、管理コンピュータ７が、アドレスを暗号化して端末６へ返送しているが、端末６が指定した属性データに対して、特定したアドレスを暗号化しないで返送するようにしてもかまわない。
また、台コンピュータ４が、遊技台データを暗号化してから出力するようにしてもかまわない。アドレスと、遊技台データの両方とも暗号化すれば、データの不正閲覧をより確実に防止できる。
さらに、アドレスを暗号化するためのキーを固定的に設定するのではなく、変更することによって、より安全性を高めることができる。具体的には、管理コンピュータ７および端末６に、それぞれ復号化キー変更手段を備え、これらが互いに関連して、復号化キーを変更するようにする。
【００３７】
具体的には、管理コンピュータ７および端末６に、それぞれ復号化キー変更手段を備え、これらが互いに関連して、所定時間で、あるいは、所定操作等で、復号化キーを変更する。
また、遊技台データの暗号化の方法も、所定時間あるいは所定操作等で、変更するようにしてもよい。
【００３８】
図７に示す第３実施例は、管理コンピュータ７が、入出力手段７ａと、アドレス記憶手段７ｃと、アクセス権認証手段７ｄを備え、台コンピュータ４が、閲覧権確認手段４ｅを備えている。また、端末６は、記憶手段６ｄを備え、キー記憶手段６ｂや復号化手段６ｃを備えていない点が図５に示す上記第２実施例と異なる。
【００３９】
上記アドレス記憶手段７ｃには、図８に示す表３のように、台コンピュータのアドレスに対応させた属性データの他に、そのアドレスに対するアクセス権を有する端末リストが対応して記憶されている。そして、アクセス権認証手段７ｄは、アクセスしてきた端末が、特定のアドレスに対するアクセス権を持っているかどうかを判定して、アクセス権が有る場合には、そのことを認証して、認証データを出力する機能を備えている。
また、台コンピュータ４の閲覧権確認手段４ｅは、管理コンピュータ７からアクセス権を認証された端末、すなわち遊技台データの閲覧権を有する端末かどうかを判定する機能を備えている。
【００４０】
このようなシステムにおいて、端末６が遊技台データを閲覧する手順を説明する。
まず、端末６は、管理コンピュータ７に対して、閲覧したい遊技台データを指定するために、アドレスの属性データを指定して閲覧要求▲１▼を送信する。属性データとして、例えば、「メーカーＸ製の機種ツネキチ」と指定する。管理コンピュータ７では、この端末６を特定するとともに、属性データから、対応するアドレスを特定する。このとき、上記属性に対応するアドレスは、複数の場合もあるが、その全てを特定する。そして、アクセス権認証手段７ｅは、上記端末６が、これらのアドレスに対してアクセス権が有るかどうかを図８に示すデータに基づいて判定する。そして、アクセス権が有ると判定した場合には、アクセス権認証データとともに、対応するアドレス▲２▼を端末６へ送信する。
【００４１】
端末６は、入出力手段６ａを介して、管理コンピュータ７から受信したアドレスと認証データとを一旦記憶手段６ｄに記憶し、個々のアドレスに順番にアクセスして、上記認証データ▲３▼を送信する。端末６のアクセスがあった台コンピュータ４の閲覧権確認手段４ｅは、上記認証データを受信したことを確認したら、入出力手段４ａから記憶手段４ｂに記憶されている遊技台データ▲４▼を端末６へ送信する。端末６は、同様にして、記憶手段６ｄに記憶した全てのアドレスに順次アクセスして、必要な遊技台データを閲覧することができる。
【００４２】
この認証データは、ワンタイムパスワードの場合や回数制限がある場合もある旨の記載の追加をお願いします。
また、管理コンピュータ７は、特定の端末のアクセス権を認証したときに、その認証データを直接台コンピュータ４に送信するようにしてもかまわない。その場合、管理コンピュータ７は、端末を特定するデータを一緒に送信する必要がある。台コンピュータ４の閲覧権確認手段４ｅは、管理コンピュータ７から受信した認証データに添付された端末特定データを、端末６がアクセスしてきたときに台コンピュータ側で特定した端末特定データと対比して、その端末６が認証を受けた端末であるかどうかを判定する。その結果、閲覧権を有する端末であると判定した場合に、台コンピュータ４は遊技台データを端末６へ送信する。
【００４３】
この第３実施例のように、管理コンピュータ７が、遊技台データの閲覧を要求する端末のアクセス権を認証するようにすれば、アクセス権のない端末に、遊技台データを閲覧させることがない。したがって、台コンピュータ４が、遊技台データを暗号化しなくてもよいし、管理コンピュータ７もアドレスを暗号化しなくてもよい。ただし、第１実施例のように、管理コンピュータ７で、アドレスを暗号化したり、台コンピュータ４で遊技台コンピュータ４で遊技台データを暗号化するようにしてもかまわない。
なお、上記実施例では、遊技台１と台コンピュータ４とを別々に設けた例を説明しているが、上記台コンピュータ４の機能を遊技台１に設けて、一体化してもかまわない。
【００４４】
【発明の効果】
第１〜第８の発明によれば、遊技台データを収集する遊技台コンピュータ個々に、アドレスを付けたので、外部から直接アクセスして、データを閲覧することができる。端末から、閲覧したい遊技データに対応する台コンピュータに直接アクセスできるので、遊技店側で、複数の遊技台データから出力すべきデータを選択する必要がない。
しかも、閲覧権限のない端末に対して、データを出力してしまうことがない。
【００４５】
第１〜第３の発明では、遊技台データを暗号化しているので、台コンピュータのアドレスを公開しても、不正な閲覧を防止することができるとともに、ネットワーク上での盗聴があっても遊技台データが読み取られる心配が少ない。
特に、第２の発明では、同一の遊技台情報についても、それを閲覧させる端末が記憶している複数の復号化キーのそれぞれに対応させて遊技台データを暗号化する。そのため、台コンピュータは、端末がアクセスしてきたときには、暗号化データをまとめて送信するだけでよい。アクセスしてきた端末が、そのデータの正当な閲覧者であるかどうかということを判定する必要が無い。
【００４６】
また、第３の発明によれば、遊技台コンピュータは、対応する遊技台が変更になったときにも、暗号化キーの変更など、変更された遊技台に基づいた対応が簡単にできる。端末側では、個々の遊技台データに対応した復号化キーによって、遊技台が、どこに移動しても、そのデータを閲覧することができるようになる。
【００４７】
第４〜第８の発明は、管理コンピュータが台コンピュータのアドレスを属性データと対応づけて管理しているので、閲覧を要求する端末は、アクセスすべき台コンピュータのアドレスそのものの代わりに、属性データによって、上記管理コンピュータにアクセス先を問い合わせることができる。
そのうえで、第５の発明では、アドレスを暗号化することによって、閲覧権限のない端末が台コンピュータにアクセスすることを防止できる。
【００４８】
第６の発明では、１つのアドレスの暗号化を、複数の復号化キーに応じて行うようにしている。そのため、管理コンピュータは、特定の台コンピュータのアドレスを問い合わせてきた端末にアクセス権があるかどうかというようなことを判断せずに、アクセスしてきた端末に対して、暗号化アドレスを送信しても、台コンピュータへの不正なアクセスを防止できる。
第７の発明では、暗号化アドレスの復号化キーを時間によって変更するので、復号化キーが他社に漏れてしまったとしても、その復号化キーを何時までも不正使用されることがない。
【００４９】
また、第８の発明によれば、管理コンピュータが、端末の台コンピュータに対するアクセス権を認証することができ、これにより、アクセス権のない端末から遊技台データを閲覧されることを防止できる。
【図面の簡単な説明】
【図１】第１実施例のシステムの全体構成図である。
【図２】第１実施例のシステムの機能と、データの流れを示した図である。
【図３】第１実施例の、遊技台データの閲覧可能者リストを表した表である。
【図４】第２実施例のシステムの全体構成図である。
【図５】第２実施例のシステムの機能と、データの流れを示した図である。
【図６】第２実施例の、管理コンピュータが記憶しているアドレスと属性の対応表である。
【図７】第３実施例のシステムの機能と、データの流れを示した図である。
【図８】第３実施例の管理コンピュータが記憶しているアクセス権を有する端末のリストを表した表である。
【図９】従来例のシステム構成図である。
【符号の説明】
１　　　　遊技台
４　　　　台コンピュータ
４ａ　　　データ収集手段
４ｂ　　　記憶手段
４ｃ　　　暗号化手段
４ｅ　　　閲覧権確認手段
６　　　　端末
６ｂ　　　キー記憶手段
６ｃ　　　復号化手段
７　　　　管理コンピュータ
７ｂ　　　暗号化手段
７ｄ　　　アクセス権認証手段
【図１】
2004049681.tif 000003
【図２】
2004049681.tif 000004
【図３】
2004049681.tif 000005
【図４】
2004049681.tif 000006
【図５】
2004049681.tif 000007
【図６】
2004049681.tif 000008
【図７】
2004049681.tif 000009
【図８】
2004049681.tif 000010
【図９】
2004049681.tif 000011